(57)【要約】【課題】印刷事故を未然に防止することが可能な印刷システムを提供する。【解決手段】印刷装置３０は、画像形成部３８により用紙に形成された画像を読み取る読取部３９と、投入されたジョブに対して、画像形成部３８によりプルーフ印刷を実施させた後、本印刷を実施させる際に、プルーフ印刷時に読取部３９により読み取られた読取画像を情報処理装置（端末装置２０）に送信する第１制御部（制御部３１）と、を備える。情報処理装置は、第１制御部により送信された読取画像を表示部２３に表示させる表示制御部（制御部２１）と、表示部２３に表示された読取画像に対する本印刷の承認結果を取得する取得部（制御部２１）と、取得部により取得された承認結果を印刷装置３０に送信する第２制御部（制御部２１）と、を備える。第１制御部は、第２制御部により送信された承認結果が承認であった場合に、画像形成部３８により本印刷を実施させる。【選択図】図１
2019186614.tif 000002
【特許請求の範囲】
【請求項１】
用紙に画像を形成する画像形成部を備える印刷装置と、前記印刷装置と通信可能に接続された情報処理装置と、からなる印刷システムにおいて、
前記印刷装置は、
前記画像形成部により前記用紙に形成された画像を読み取る読取部と、
投入されたジョブに対して、前記画像形成部によりプルーフ印刷を実施させた後、本印刷を実施させる際に、前記プルーフ印刷時に前記読取部により読み取られた読取画像を前記情報処理装置に送信する第１制御部と、
を備え、
前記情報処理装置は、
前記第１制御部により送信された読取画像を表示部に表示させる表示制御部と、
前記表示部に表示された読取画像に対する前記本印刷の承認結果を取得する取得部と、
前記取得部により取得された承認結果を前記印刷装置に送信する第２制御部と、
を備え、
前記印刷装置の前記第１制御部は、
前記第２制御部により送信された承認結果が承認であった場合に、前記画像形成部により前記本印刷を実施させることを特徴とする印刷システム。
【請求項２】
前記ジョブの前記本印刷の承認を行うジョブオーナーは、一の前記ジョブに対して複数人設定可能であることを特徴とする請求項１に記載の印刷システム。
【請求項３】
前記第１制御部は、前記読取画像を前記情報処理装置に送信する際、編集が行われたページのみを送信することを特徴とする請求項１又は２に記載の印刷システム。
【請求項４】
前記第１制御部は、前記読取画像を前記情報処理装置に送信する際、バリアブルデータの可変部が含まれるページのみを送信することを特徴とする請求項１〜３のいずれか一項に記載の印刷システム。
【請求項５】
前記第１制御部は、前記読取画像を前記情報処理装置に送信する際、メールを利用して送信することを特徴とする請求項１〜４のいずれか一項に記載の印刷システム。
【請求項６】
前記表示制御部は、前記第１制御部により送信されたメールに記載された所定のＵＲＬを開く操作が行われた場合に、前記読取画像を前記表示部に表示させることを特徴とする請求項５に記載の印刷システム。
【請求項７】
前記表示制御部は、前記読取画像を前記表示部に表示させる際、編集後の内容を編集前の内容と重ね合わせて表示させることを特徴とする請求項１〜６のいずれか一項に記載の印刷システム。
【請求項８】
前記取得部は、前記表示部に表示された読取画像を含む画面内に記載された所定のＵＲＬを開く操作が行われた場合に、前記読取画像に対する前記本印刷の承認結果が承認である旨を取得することを特徴とする請求項１〜７のいずれか一項に記載の印刷システム。
【請求項９】
前記ジョブの前記本印刷の承認を要求する箇所は、１ページに対して複数箇所設定可能であることを特徴とする請求項１〜８のいずれか一項に記載の印刷システム。
【請求項１０】
前記ジョブの前記本印刷の承認は、複数ページを一度に承認可能であることを特徴とする請求項１〜９のいずれか一項に記載の印刷システム。
【請求項１１】
前記ジョブの前記本印刷の承認は、承認期限が設けられていることを特徴とする請求項１〜１０のいずれか一項に記載の印刷システム。
【請求項１２】
前記第１制御部は、前記第２制御部により送信された承認結果が承認であって、かつ、前記プルーフ印刷が実施された用紙に対する承認が得られた場合に、前記本印刷を実施させることを特徴とする請求項１〜１１のいずれか一項に記載の印刷システム。
【請求項１３】
前記表示制御部は、前記読取画像を前記表示部に表示させる際、ジョブオーナーの選択に合わせて印刷レイアウト又は完成レイアウトで表示させることを特徴とする請求項１〜１２のいずれか一項に記載の印刷システム。
【請求項１４】
前記ジョブの前記本印刷の承認を行うジョブオーナーの承認権限は、他のジョブオーナーに委譲可能であることを特徴とする請求項１〜１３のいずれか一項に記載の印刷システム。
【請求項１５】
前記取得部は、前記読取画像に対する前記本印刷の承認結果が非承認であった場合に、前記承認結果と併せてジョブオーナーによる追加の指摘を取得することを特徴とする請求項１〜１４のいずれか一項に記載の印刷システム。
【請求項１６】
前記表示制御部は、前記表示部に表示させた読取画像の編集が行われた箇所に対し所定の操作が行われた場合に、前記編集が行われた箇所の高解像度の画像を表示させることを特徴とする請求項１〜１５のいずれか一項に記載の印刷システム。
【発明の詳細な説明】
【技術分野】
【０００１】
本発明は、印刷システムに関する。
【背景技術】
【０００２】
従来、印刷会社における印刷事故は、人と人とのコミュニケーションロスにより発生する。例えば、発注者と営業との間の認識違い、営業と印刷部門との連携ミス、デザイナーが指示した修正が印刷業者によりデータに反映されていない等、人為的な原因により印刷事故が発生している。印刷事故が発生した場合、再印刷に掛かる費用負担は、通常印刷会社が担うこととなる。したがって、印刷会社にとっては、印刷事故の発生をできるだけ抑制したいという要望がある。
【０００３】
そこで、印刷データが意図どおりに修正されることをサポートする技術として、オンライン校正システムが知られている。オンライン校正システムは、ＰＤＦ（Portable Document Format）上にコメント形式で変更箇所を表示したり、原稿に手書きの校正箇所をレイヤー表示したりすることが可能なシステムである。
【０００４】
オンライン校正システムの一例として、クライアント側の端末において、制作側の端末から光ＷＡＮ（Wide Area Network）を介して送られた校正原稿に赤字校正をした赤字校正原稿をＡＤＦ（Auto Document Feeder）でスキャンし、スキャンした赤字校正原稿を制作側の端末に返送する構成が開示されている（例えば、特許文献１参照）。
【先行技術文献】
【特許文献】
【０００５】
【特許文献１】特開２００３−１１５９７２号公報
【発明の概要】
【発明が解決しようとする課題】
【０００６】
しかしながら、上記特許文献１のような校正システムを介して生成された印刷データであっても、プルーフ機と生産機とでＲＩＰのバージョンに違いがある場合や印刷時のジョブチケット設定に関連する場合などには、印刷事故の可能性が残る。実際、オンライン上でプリント注文する場合、試し刷りをプルーフ機で行う場合よりも生産機で行う場合の方が、値段が高く設定されている。これは、試し刷りと本刷りとで差がない方が（すなわち、同一の機械で印刷した方が）印刷事故の可能性を低減することができるからである。
従来の校正システムでは、上記のように印刷事故の可能性を残しているにもかかわらず、印刷機を操作しているオペレーターが本印刷の実施を指示していたため、ジョブオーナー（ジョブの印刷の依頼者：例えば、発注者等）が意図しない本印刷が行われて、印刷事故が発生するという課題がある。
【０００７】
本発明は、印刷事故を未然に防止することが可能な印刷システムを提供することを目的とする。
【課題を解決するための手段】
【０００８】
請求項１に記載の発明は、上記目的を達成するためになされたものであり、
用紙に画像を形成する画像形成部を備える印刷装置と、前記印刷装置と通信可能に接続された情報処理装置と、からなる印刷システムにおいて、
前記印刷装置は、
前記画像形成部により前記用紙に形成された画像を読み取る読取部と、
投入されたジョブに対して、前記画像形成部によりプルーフ印刷を実施させた後、本印刷を実施させる際に、前記プルーフ印刷時に前記読取部により読み取られた読取画像を前記情報処理装置に送信する第１制御部と、
を備え、
前記情報処理装置は、
前記第１制御部により送信された読取画像を表示部に表示させる表示制御部と、
前記表示部に表示された読取画像に対する前記本印刷の承認結果を取得する取得部と、
前記取得部により取得された承認結果を前記印刷装置に送信する第２制御部と、
を備え、
前記印刷装置の前記第１制御部は、
前記第２制御部により送信された承認結果が承認であった場合に、前記画像形成部により前記本印刷を実施させることを特徴とする。
【０００９】
請求項２に記載の発明は、請求項１に記載の印刷システムにおいて、
前記ジョブの前記本印刷の承認を行うジョブオーナーは、一の前記ジョブに対して複数人設定可能であることを特徴とする。
【００１０】
請求項３に記載の発明は、請求項１又は２に記載の印刷システムにおいて、
前記第１制御部は、前記読取画像を前記情報処理装置に送信する際、編集が行われたページのみを送信することを特徴とする。
【００１１】
請求項４に記載の発明は、請求項１〜３のいずれか一項に記載の印刷システムにおいて、
前記第１制御部は、前記読取画像を前記情報処理装置に送信する際、バリアブルデータの可変部が含まれるページのみを送信することを特徴とする。
【００１２】
請求項５に記載の発明は、請求項１〜４のいずれか一項に記載の印刷システムにおいて、
前記第１制御部は、前記読取画像を前記情報処理装置に送信する際、メールを利用して送信することを特徴とする。
【００１３】
請求項６に記載の発明は、請求項５に記載の印刷システムにおいて、
前記表示制御部は、前記第１制御部により送信されたメールに記載された所定のＵＲＬを開く操作が行われた場合に、前記読取画像を前記表示部に表示させることを特徴とする。
【００１４】
請求項７に記載の発明は、請求項１〜６のいずれか一項に記載の印刷システムにおいて、
前記表示制御部は、前記読取画像を前記表示部に表示させる際、編集後の内容を編集前の内容と重ね合わせて表示させることを特徴とする。
【００１５】
請求項８に記載の発明は、請求項１〜７のいずれか一項に記載の印刷システムにおいて、
前記取得部は、前記表示部に表示された読取画像を含む画面内に記載された所定のＵＲＬを開く操作が行われた場合に、前記読取画像に対する前記本印刷の承認結果が承認である旨を取得することを特徴とする。
【００１６】
請求項９に記載の発明は、請求項１〜８のいずれか一項に記載の印刷システムにおいて、
前記ジョブの前記本印刷の承認を要求する箇所は、１ページに対して複数箇所設定可能であることを特徴とする。
【００１７】
請求項１０に記載の発明は、請求項１〜９のいずれか一項に記載の印刷システムにおいて、
前記ジョブの前記本印刷の承認は、複数ページを一度に承認可能であることを特徴とする。
【００１８】
請求項１１に記載の発明は、請求項１〜１０のいずれか一項に記載の印刷システムにおいて、
前記ジョブの前記本印刷の承認は、承認期限が設けられていることを特徴とする。
【００１９】
請求項１２に記載の発明は、請求項１〜１１のいずれか一項に記載の印刷システムにおいて、
前記第１制御部は、前記第２制御部により送信された承認結果が承認であって、かつ、前記プルーフ印刷が実施された用紙に対する承認が得られた場合に、前記本印刷を実施させることを特徴とする。
【００２０】
請求項１３に記載の発明は、請求項１〜１２のいずれか一項に記載の印刷システムにおいて、
前記表示制御部は、前記読取画像を前記表示部に表示させる際、ジョブオーナーの選択に合わせて印刷レイアウト又は完成レイアウトで表示させることを特徴とする。
【００２１】
請求項１４に記載の発明は、請求項１〜１３のいずれか一項に記載の印刷システムにおいて、
前記ジョブの前記本印刷の承認を行うジョブオーナーの承認権限は、他のジョブオーナーに委譲可能であることを特徴とする。
【００２２】
請求項１５に記載の発明は、請求項１〜１４のいずれか一項に記載の印刷システムにおいて、
前記取得部は、前記読取画像に対する前記本印刷の承認結果が非承認であった場合に、前記承認結果と併せてジョブオーナーによる追加の指摘を取得することを特徴とする。
【００２３】
請求項１６に記載の発明は、請求項１〜１５のいずれか一項に記載の印刷システムにおいて、
前記表示制御部は、前記表示部に表示させた読取画像の編集が行われた箇所に対し所定の操作が行われた場合に、前記編集が行われた箇所の高解像度の画像を表示させることを特徴とする。
【発明の効果】
【００２４】
本発明によれば、印刷事故を未然に防止することができる。
【図面の簡単な説明】
【００２５】
【図１】本実施形態に係る印刷システムの構成を機能ごとに示すブロック図である。
【図２】印刷装置の概略構成を示す正面図である。
【図３】印刷装置の動作の一例を示すフローチャートである。
【図４】ジョブオーナーの端末装置の動作の一例を示すフローチャートである。
【図５】本実施形態に係る印刷システムの動作の概念図を示す図である。
【発明を実施するための形態】
【００２６】
以下、本発明の実施の形態について、図面を参照して詳細に説明する。
【００２７】
［１．構成の説明］
本実施形態に係る印刷システム１は、図１に示すように、サーバー１０と、端末装置（情報処理装置）２０と、印刷装置３０と、を備えて構成されている。印刷システム１を構成する各装置は、通信ネットワークＮにデータ通信可能に接続される。通信ネットワークＮは、具体的には、電話回線、専用線、移動体通信網、通信衛星網、ＣＡＴＶ回線等の様々な通信回線を適用可能なＬＡＮ（Local Area Network）である。なお、ＷＡＮ（Wide Area Network）やインターネット等の様々なネットワーク形態を適用してもよい。
【００２８】
サーバー１０は、ＰＣ、ＷＳ等の情報機器であり、端末装置２０や印刷装置３０からのアクセスに応じて所定の動作を行う。サーバー１０は、１台で構成されるものとするが、これに限定されるものではなく、複数台の装置から構成されるものとしてもよい。
【００２９】
サーバー１０は、制御部１１と、操作部１２と、表示部１３と、記憶部１４と、通信部１５と、を備えて構成されている。
【００３０】
制御部１１は、サーバー１０の動作を中央制御する。具体的には、制御部１１は、ＣＰＵ、ＲＯＭ、ＲＡＭなどを備えて構成され、ＲＡＭの作業領域に展開されたＲＯＭや記憶部１４に記憶されたプログラムデータとＣＰＵとの協働により、サーバー１０の各部を統括制御する。
【００３１】
操作部１２は、文字入力キー、数字入力キー、その他各種機能に対応付けられたキーなどを有するキーボード、マウス等のポインティングデバイスなどを備え、ユーザーからの操作入力を受け付けて、操作入力に応じた操作信号を制御部１１へと出力する。
表示部１３は、ＬＣＤ（Liquid Crystal Display）などのディスプレイを備え、制御部１１から出力された表示制御信号に基づいた画像を表示画面に表示する。
【００３２】
記憶部１４は、例えば、ＨＤＤ、半導体メモリなどにより構成され、プログラムデータや各種設定データ等のデータを制御部１１から読み書き可能に記憶する。
【００３３】
通信部１５は、通信用ＩＣ及び通信コネクタなどを有する通信インターフェイスであり、制御部１１の制御の下、所定の通信プロトコルを用いて通信ネットワークＮを介したデータ通信を行う。
【００３４】
端末装置２０は、デスクトップＰＣ等の据え置き型の端末装置である。ただし、端末装置２０は、スマートフォンやタブレットなどのスマートデバイス、携帯電話機等の各ユーザーが所持して使用する携帯型端末機器としてもよい。端末装置２０は、通信ネットワークＮ（具体的には、端末装置２０の通信回線や無線ＬＡＮ（Local Area Network）等）を用いて、サーバー１０や印刷装置３０との間で相互に通信を行う。
【００３５】
端末装置２０は、制御部２１と、操作部２２と、表示部２３と、記憶部２４と、通信部２５と、を備えて構成されている。
【００３６】
制御部２１は、端末装置２０の動作を中央制御する。具体的には、制御部２１は、ＣＰＵ、ＲＯＭ、ＲＡＭなどを備えて構成され、ＲＡＭの作業領域に展開されたＲＯＭや記憶部２４に記憶されたプログラムデータとＣＰＵとの協働により、端末装置２０の各部を統括制御する。
【００３７】
操作部２２は、文字入力キー、数字入力キー、その他各種機能に対応付けられたキーなどを有するキーボード、マウス等のポインティングデバイスなどを備え、ユーザーからの操作入力を受け付けて、操作入力に応じた操作信号を制御部２１へと出力する。なお、操作部２２は、例えば、表示部２３と一体的に形成されたタッチパネルなどであってもよい。
表示部２３は、ＬＣＤなどのディスプレイを備え、制御部２１から出力された表示制御信号に基づいた画像を表示画面に表示する。例えば、表示部２３は、ジョブオーナーが承認処理を行うためのＷｅｂ画面を表示する。
【００３８】
記憶部２４は、ＨＤＤ、半導体メモリなどにより構成され、プログラムデータや各種設定データ等のデータを制御部２１から読み書き可能に記憶する。
【００３９】
通信部２５は、通信用ＩＣ及び通信コネクタなどを有する通信インターフェイスであり、制御部２１の制御の下、所定の通信プロトコルを用いて通信ネットワークＮを介したデータ通信を行う。
【００４０】
印刷装置３０は、図２に示すように、プリントコントローラーｇ１及び本体ユニットｇ２を備えて構成されている。
【００４１】
プリントコントローラーｇ１は、通信ネットワークＮ上の端末装置２０からＰＤＬ（Page Description Language）データを受信し、当該ＰＤＬデータをラスタライズ処理してビットマップ形式の画像データを生成する。
プリントコントローラーｇ１は、Ｃ（シアン）、Ｍ（マジェンタ）、Ｙ（イエロー）及びＫ（黒）の色ごとに画像データを生成し、本体ユニットｇ２に出力する。
【００４２】
本体ユニットｇ２は、原稿自動読取部３６により原稿Ｄを読み取って得られた画像データ又はプリントコントローラーｇ１により生成された画像データに基づき、画像形成部３８により用紙上に画像を形成する。
本体ユニットｇ２は、図１及び図２に示すように、制御部３１、操作部３２、表示部３３、記憶部３４、通信部３５、原稿自動読取部３６、画像処理部３７、画像形成部３８、読取部３９、給紙トレイｔ１、排紙トレイｔ２等を備えて構成されている。
【００４３】
制御部３１は、ＣＰＵ、ＲＡＭ等を備えて構成されている。制御部３１は、記憶部３４に記憶されているプログラムを読み出し、当該プログラムに従って印刷装置３０の各部を制御する。例えば、制御部３１は、ジョブの設定に従い、給紙トレイｔ１により用紙を給紙させる。また、制御部３１は、画像処理部３７により画像データを補正及び画像処理させて、画像形成部３８により画像を形成させる。
【００４４】
操作部３２は、操作キーや表示部３３と一体に構成されたタッチパネル等を備え、これらの操作に応じた操作信号を制御部３１に出力する。ユーザーは、操作部３２により、ジョブの設定、処理内容の変更等の指示を入力することができる。
表示部３３は、ＬＣＤなどのディスプレイであり、制御部３１の指示に従って操作画面等を表示する。
【００４５】
記憶部３４は、制御部３１が読み取り可能なプログラム、ファイル等を記憶している。記憶部３４としては、例えばハードディスク、ＲＯＭ等の記憶媒体を用いることができる。
【００４６】
通信部３５は、制御部３１からの指示に従い、通信ネットワークＮ上のサーバー１０又は端末装置２０と通信する。
【００４７】
原稿自動読取部３６は、原稿トレイに載置された原稿Ｄを搬送機構により搬送して光学的に走査し、原稿Ｄからの反射光をＣＣＤ（Charge Coupled Device）センサーの受光面上に結像させて原稿Ｄの画像を読み取り、Ｒ（赤）、Ｇ（緑）及びＢ（青）の色ごとの画像データを生成して画像処理装置７に出力する。
【００４８】
画像処理部３７は、原稿自動読取部３６又はプリントコントローラーｇ１から入力された画像データを補正し、画像処理を施して、画像形成部３８に出力する。画像処理には、例えば、レベル補正処理、拡大／縮小処理、明るさ／コントラスト調整処理、シャープネス（鮮鋭化）処理、平滑化処理、色変換処理、トーンカーブ調整処理、フィルタ処理等がある。
【００４９】
画像形成部３８は、画像処理部３７から出力された画像データに基づき、用紙上に画像を形成する。
画像形成部３８は、図２に示すように、Ｃ、Ｍ、Ｙ及びＫの色ごとに、露光部３８ａ、感光体３８ｂ及び現像部３８ｃを、４セット備えて構成されている。また、画像形成部３８は、中間転写ベルト３８ｄ、２次転写ローラー３８ｅ、定着装置３８ｆ及び反転機構３８ｇを備えて構成されている。
【００５０】
露光部３８ａは、発光素子としてＬＤ（Laser Diode）を備えて構成されている。露光部３８ａは、画像データに基づいてＬＤを駆動し、帯電する感光体３８ｂ上にレーザー光を照射して露光する。現像部３８ｃは、帯電する現像ローラーにより感光体３８ｂ上にトナーを供給し、露光により感光体３８ｂ上に形成された静電潜像を現像する。
このようにして４つの感光体３８ｂ上に各色のトナーで形成された画像は、各感光体３８ｂから中間転写ベルト３８ｄ上に順次重ねて転写される。これにより、中間転写ベルト３８ｄ上にカラー画像が形成される。中間転写ベルト３８ｄは、複数のローラーに巻き回された無端ベルトであり、各ローラーの回転に従って回転する。
【００５１】
２次転写ローラー３８ｅは、中間転写ベルト３８ｄ上のカラー画像を、給紙トレイｔ１から給紙された用紙上に転写する。定着装置３８ｆは、転写後の用紙を加熱及び加圧して定着処理する。
【００５２】
画像形成部３８は、用紙の両面に画像を形成する場合、反転機構３８ｇにより用紙の表裏を反転させ、もう一方の片面に対して画像を形成する。反転機構３８ｇは、通過する用紙の表裏を反転させて２次転写ローラー３８ｅによる転写位置へと再度用紙を搬送する搬送経路を有している。
【００５３】
読取部３９は、画像形成部３８により用紙に形成された画像の読み取りをリアルタイムに行う。読取部３９により画像の読み取りが行われた用紙は、排紙トレイｔ２に排出される。
読取部３９により読み取られた画像（読取画像）は、制御部３１にフィードバックされて、印刷物の品質を安定させるための制御に活用される。
【００５４】
次に、本実施形態に係る印刷システム１の動作について説明する。
まず、図３のフローチャートを参照して、印刷装置３０の動作を説明する。
【００５５】
まず、印刷装置３０の制御部３１は、保留ジョブキューをチェック（確認）する（ステップＳ１０１）。ここで、保留ジョブキューとは、保留ジョブをリスト化して保有するデータ構造のことである。
【００５６】
次に、制御部３１は、ステップＳ１０１でチェックした保留ジョブキュー内に承認済みジョブがあるか否かを判定する（ステップＳ１０２）。ここで、承認済みジョブとは、ジョブオーナーによる本印刷の承認が既に得られているジョブのことである。
制御部３１は、保留ジョブキュー内に承認済みジョブがあると判定した場合（ステップＳ１０２：ＹＥＳ）、その承認済みジョブを保留ジョブキューから印刷ジョブキューに移動させ（ステップＳ１０３）、その後ステップＳ１０４へと移行する。ここで、印刷ジョブキューとは、印刷ジョブをリスト化して保有するデータ構造のことである。
一方、制御部３１は、保留ジョブキュー内に承認済みジョブがあると判定した場合（ステップＳ１０２：ＮＯ）、ステップＳ１０４へと移行する。
【００５７】
次に、制御部３１は、印刷ジョブキューから先頭ジョブを取り出す（ステップＳ１０４）。
【００５８】
次に、制御部３１は、ステップＳ１０４で取り出した先頭ジョブが、プルーフジョブであるか否かを判定する（ステップＳ１０５）。なお、各ジョブには、予めプルーフジョブであるか否かを示す情報が設定されており、制御部３１は、その情報を参照することで、先頭ジョブがプルーフジョブであるか否かを判定することができる。
制御部３１は、先頭ジョブがプルーフジョブであると判定した場合（ステップＳ１０５：ＹＥＳ）、印刷部数を「１部」と設定し（ステップＳ１０６）、その後ステップＳ１０７へと移行する。
一方、制御部３１は、先頭ジョブがプルーフジョブでない（すなわち、本印刷ジョブである）と判定した場合（ステップＳ１０５：ＮＯ）、印刷部数を指定部数のまま変更することなく、ステップＳ１０７へと移行する。
【００５９】
次に、制御部３１は、画像形成部３８を制御して、先頭ジョブを印刷する（ステップＳ１０７）。具体的には、制御部３１は、先頭ジョブがプルーフジョブである場合、先頭ジョブを１部印刷する。一方、制御部３１は、先頭ジョブがプルーフジョブでない（すなわち、本印刷ジョブである）場合、先頭ジョブを指定部数印刷する。
【００６０】
次に、制御部３１は、読取部３９により読み取られた画像（読取画像）を取得する（ステップＳ１０８）。
【００６１】
次に、制御部３１は、先頭ジョブがジョブオーナーの承認が必要なジョブ（すなわち、プルーフジョブ）であるか否かを判定する（ステップＳ１０９）。なお、各ジョブには、予めジョブオーナーの承認が必要なジョブであるか否かを示す情報が設定されており、制御部３１は、その情報を参照することで、先頭ジョブがジョブオーナーの承認が必要なジョブであるか否かを判定することができる。
制御部３１は、先頭ジョブがジョブオーナーの承認が必要なジョブであると判定した場合（ステップＳ１０９：ＹＥＳ）、次のステップＳ１１０へと移行する。
一方、制御部３１は、先頭ジョブがジョブオーナーの承認が必要なジョブでない（すなわち、承認済みジョブである）と判定した場合（ステップＳ１０９：ＮＯ）、ステップＳ１１２へと移行する。
【００６２】
次に、制御部３１は、ステップＳ１０８で取得した読取画像を、通信部３５を介してサーバー１０にアップロード（送信）する（ステップＳ１１０）。サーバー１０にアップロードされた読取画像は、本印刷の承認依頼メールに含めて端末装置２０に送信される。ここで、ステップＳ１１０の処理は、プルーフジョブの印刷後に取得された読取画像に対して、本印刷前に行われる。すなわち、制御部３１は、本発明の第１制御部として機能する。また、制御部３１は、読取画像を端末装置２０に送信する際、サーバー１０からメール（承認依頼メール）を利用して送信させる。
【００６３】
次に、制御部３１は、先頭ジョブを印刷ジョブキューから保留ジョブキューに移動させる（ステップＳ１１１）。
【００６４】
次に、制御部３１は、保留ジョブキュー内に保留ジョブがあるか否かを判定する（ステップＳ１１２）。
制御部３１は、保留ジョブキュー内に保留ジョブがあると判定した場合（ステップＳ１１２：ＹＥＳ）、ステップＳ１０２へと移行して、再度、ステップＳ１０２以降の処理を繰り返す。
一方、制御部３１は、保留ジョブキュー内に保留ジョブがないと判定した場合（ステップＳ１１２：ＮＯ）、処理を終了する。
【００６５】
次に、図４のフローチャートを参照して、ジョブオーナーの端末装置２０の動作を説明する。この動作は、端末装置２０の制御部２１が、サーバー１０から送信された本印刷の承認依頼メールを受信したことを契機として開始される。
【００６６】
まず、端末装置２０の制御部２１は、ジョブオーナーにより、承認依頼メールに記載された所定のＵＲＬを開く操作（例えばクリック操作）が行われたか否かを判定する（ステップＳ２０１）。ここで、所定のＵＲＬは、ジョブオーナーが本印刷の承認を行うための承認画面へと遷移させるためのＵＲＬである。
制御部２１は、所定のＵＲＬを開く操作が行われたと判定した場合（ステップＳ２０１：ＹＥＳ）、次のステップＳ２０２へと移行する。
一方、制御部２１は、所定のＵＲＬを開く操作が行われていないと判定した場合（ステップＳ２０１：ＮＯ）、所定のＵＲＬを開く操作が行われるまで待機する。
【００６７】
次に、制御部２１は、ジョブオーナーが承認処理を行うためのＷｅｂ画面を表示部２３に表示させる（ステップＳ２０２）。Ｗｅｂ画面には、プルーフジョブの印刷後に取得された読取画像の他、少なくともジョブオーナーが承認処理を行うためのツール（例えば、承認ボタン、承認通知用のＵＲＬ（リンク）等）が含まれている。すなわち、制御部２１は、本発明の表示制御部として機能する。
【００６８】
次に、制御部２１は、ステップＳ２０２で表示させたＷｅｂ画面において、ジョブオーナーにより「プルーフジョブの印刷後に取得された読取画像」を承認する操作が行われたか否かを判定する（ステップＳ２０３）。例えば、制御部２１は、Ｗｅｂ画面に含まれる承認用のツールを用いて所定の操作（例えば、承認ボタンの押下操作、承認通知用のＵＲＬのクリック操作等）が行われたか否かを判定する。
制御部２１は、承認する操作が行われたと判定した場合（ステップＳ２０３：ＹＥＳ）、本印刷の承認結果（承認）を取得して本印刷設定をＯＮに設定し（ステップＳ２０４）、その後ステップＳ２０９へと移行する。
一方、制御部２１は、承認する操作が行われていないと判定した場合（ステップＳ２０３：ＮＯ）、ステップＳ２０５へと移行する。
【００６９】
次に、制御部２１は、非承認理由の選択結果又は入力結果を取得する（ステップＳ２０５）。ここで、非承認理由は、承認用のＷｅｂ画面を通じて、選択又は入力できるようになっている。
【００７０】
次に、制御部２１は、本印刷の承認結果（非承認）を取得し、本印刷設定をＯＦＦに設定する（ステップＳ２０６）。
制御部２１は、このステップＳ２０６及びステップＳ２０４において、承認結果（承認／非承認）を取得することで、本発明の取得部として機能する。
【００７１】
次に、制御部２１は、ジョブオーナーにより、追加の指摘が入力されたか否かを判定する（ステップＳ２０７）。ここで、追加の指摘は、以下の要領で行われる。まず、ジョブオーナーは、対象ジョブにおいて追加の指摘を行うページを指定する。次いで、ジョブオーナーは、指定したページにおいて追加の指摘を行う領域を指定する。次いで、ジョブオーナーは、指定した領域に指摘（コメント）を追加する。
制御部２１は、追加の指摘が入力されたと判定した場合（ステップＳ２０７：ＹＥＳ）、追加の指摘を取得し（ステップＳ２０８）、その後ステップＳ２０９へと移行する。
一方、制御部２１は、追加の指摘が入力されていないと判定した場合（ステップＳ２０７：ＮＯ）、ステップＳ２０９へと移行する。
【００７２】
次に、制御部２１は、本印刷の承認結果（本印刷設定の承認／非承認）を、通信部２５を介してサーバー１０に通知する（ステップＳ２０９）。すなわち、制御部２１は、本発明の第２制御部として機能する。ここで、制御部２１は、本印刷設定の非承認をサーバー１０に通知する場合、ステップＳ２０５で取得した非承認理由の選択結果又は入力結果や、ステップＳ２０８で取得した追加の指摘を、併せて通知する。
【００７３】
図５に、本実施形態に係る印刷システム１の動作の概念図を示す。
本実施形態では、まず、発注者Ｍ１及びデザイナー／製作者Ｍ２は、発注データ（印刷データ）Ｄ１を作成し、その発注データＤ１の印刷を印刷業者Ｍ３に発注する（ステップＳ１：発注）。その際、発注者Ｍ１及びデザイナー／製作者Ｍ２は、この印刷のジョブオーナーのメールアドレスを発注データＤ１に含めるようにする。
【００７４】
次に、印刷業者Ｍ３は、印刷データ（発注データＤ１）にジョブチケットＴ１の設定（印刷設定）を付加してプルーフ印刷を行う（ステップＳ２：プルーフ印刷）。
【００７５】
次に、印刷装置３０は、プルーフ印刷後の画像を読取部３９に読み取らせ、その読取画像Ｇ１をサーバー１０に送信する（ステップＳ３：イメージ送信）。その際、オペレーターの目視確認でＯＫとなった場合のみ読取画像Ｇ１を送信するようにしてもよいし、承認が必要なページのみ読取画像Ｇ１を送信するようにしてもよい。
【００７６】
次に、サーバー１０は、指定されたメールアドレス（発注データＤ１に含められたメールアドレス）に対して、本印刷の承認依頼メールＭＡ１を送信する（ステップＳ４：通知）。承認依頼メールＭＡ１には、プルーフ印刷が完了した旨を示す文言の他、印刷結果（読取画像Ｇ１）を表示させるＷｅｂ画面Ｗ１を開くためのＵＲＬ（リンク）Ｌ１が記載されている。
【００７７】
次に、ジョブオーナー（承認者：例えば、発注者Ｍ１、デザイナー／製作者Ｍ２）は、承認依頼メールＭＡ１に記載されたＵＲＬＬ１をクリックしてＷｅｂ画面Ｗ１を開き、問題がなければ承認処理を行う（ステップＳ５：確認／承認）。Ｗｅｂ画面Ｗ１には、読取画像Ｇ１の他、承認者による承認時に選択されるチェックボックスＣ１、読取画像Ｇ１の表示モード（印刷レイアウト／完成レイアウト）の選択ボタンＢ１等が記載されている。ジョブオーナーによる選択ボタンＢ１の選択結果に応じて、読取画像Ｇ１は印刷レイアウト（印刷設定（例えば４ページ分を１枚に印刷する等）に即したレイアウト）又は完成レイアウト（実際に本印刷されるレイアウト）で表示される。図５に示す例では、１枚の用紙に４ページ分の読取画像を印刷する場合の印刷レイアウトが例示されている。
【００７８】
次に、ジョブオーナーの端末装置２０は、承認通知をサーバー１０に送信する（ステップＳ６：承認通知）。
【００７９】
次に、サーバー１０は、承認通知を受け付けると、印刷装置３０に対して本印刷許可信号を発効し、本印刷を行わせる（ステップＳ７：本印刷許可）。このとき、印刷装置３０の側では、自動的に本印刷として印刷ジョブリストに加えるようにしてもよいし、オペレーターの指示によって印刷ジョブリストに加えるようにしてもよい。
印刷装置３０は、端末装置２０からサーバー１０を介して送信された承認結果が承認であった場合（本印刷許可信号が発効された場合）に、画像形成部３８により本印刷を実施させる。
【００８０】
以上のように、本実施形態に係る印刷システム１の印刷装置３０は、画像形成部３８により用紙に形成された画像を読み取る読取部３９と、投入されたジョブに対して、画像形成部３８によりプルーフ印刷を実施させた後、本印刷を実施させる際に、プルーフ印刷時に読取部３９により読み取られた読取画像を情報処理装置（端末装置２０）に送信する第１制御部（制御部３１）と、を備える。また、情報処理装置は、第１制御部により送信された読取画像を表示部２３に表示させる表示制御部（制御部２１）と、表示部２３に表示された読取画像に対する本印刷の承認結果を取得する取得部（制御部２１）と、取得部により取得された承認結果を印刷装置３０に送信する第２制御部（制御部２１）と、を備える。また、印刷装置３０の第１制御部は、第２制御部により送信された承認結果が承認であった場合に、画像形成部３８により本印刷を実施させる。
したがって、本実施形態に係る印刷システム１によれば、ジョブオーナーが意図したとおりの印刷の場合のみ本印刷を実施することができるので、印刷事故を未然に防止することができる。
また、プルーフ印刷後の画像を自動的に読み取ることができるので、高度なスキルがない印刷装置３０のオペレーターであっても適切に印刷作業を実施することができる。また、検版（プルーフ画像の検査）のために印刷物をスキャンする手間を省略することができるので、印刷作業に掛かる時間を短縮することができる。
また、本印刷直前の検版をオンラインで実施することができるので、物理的な移動に掛かる時間や費用を削減することができる。
【００８１】
また、本実施形態に係る印刷システム１によれば、第１制御部は、読取画像を情報処理装置に送信する際、メールを利用して送信する。
したがって、本実施形態に係る印刷システム１によれば、ジョブオーナーが承認処理を行うのに場所や時間が限定されないため、ジョブオーナーの利便性を確保することができる。
【００８２】
また、本実施形態に係る印刷システム１によれば、表示制御部は、第１制御部により送信されたメールに記載された所定のＵＲＬを開く操作が行われた場合に、読取画像を表示部２３に表示させる。
したがって、本実施形態に係る印刷システム１によれば、ジョブオーナーが承認処理を行うのに場所や時間が限定されないため、ジョブオーナーの利便性を確保することができる。
【００８３】
また、本実施形態に係る印刷システム１によれば、表示制御部は、読取画像を表示部２３に表示させる際、ジョブオーナーの選択に合わせて印刷レイアウト又は完成レイアウトで表示させる。
したがって、本実施形態に係る印刷システム１によれば、ジョブオーナーの好みや都合に合わせて読取画像を表示させることができるので、ジョブオーナーによる承認処理を適切に行わせることができる。
【００８４】
また、本実施形態に係る印刷システム１によれば、取得部は、読取画像に対する本印刷の承認結果が非承認であった場合に、承認結果と併せてジョブオーナーによる追加の指摘を取得する。
したがって、本実施形態に係る印刷システム１によれば、ジョブオーナーが承認しない場合にその理由や要望等を印刷業者に通知することができるので、迅速かつ正確にその後の対応を行わせることができる。
【００８５】
以上、本発明に係る実施形態に基づいて具体的に説明したが、本発明は上記実施形態に限定されるものではなく、その要旨を逸脱しない範囲で変更可能である。
【００８６】
例えば、ジョブ（プルーフジョブ）の本印刷の承認を行うジョブオーナーは、一のジョブに対して１人に限られず、複数人設定するようにしてもよい。すなわち、例えば、発注者、営業、デザイナー、製作者、印刷責任者等のうち２人以上をジョブオーナーとして設定するようにしてもよい。なお、この場合は、全てのジョブオーナーの承認を要求する仕様とするのがよい。
このように、ジョブの本印刷の承認を行うジョブオーナーを、一のジョブに対して複数人設定可能とすることで、エラーを発見し易くすることができるので、より確実に印刷事故を防止することができる。
【００８７】
また、図３のステップＳ１１０において、プルーフジョブの印刷後に取得された読取画像を、サーバー１０を介して端末装置２０に送信する際、編集が行われたページのみを送信するようにしてもよい。
このように、印刷装置３０の制御部３１は、読取画像を端末装置２０に送信する際、編集が行われたページのみを送信することで、転送するデータ量を削減することができるので、全体の処理を高速化して処理時間を短縮することができる。また、ジョブオーナーは限られたページのみ確認すればよいため、ジョブオーナーの利便性を確保することができる。
【００８８】
また、図３のステップＳ１１０において、プルーフジョブの印刷後に取得された読取画像を、サーバー１０を介して端末装置２０に送信する際、バリアブルデータの可変部が含まれるページのみを送信するようにしてもよい。
このように、印刷装置３０の制御部３１は、読取画像を端末装置２０に送信する際、バリアブルデータの可変部が含まれるページのみを送信することで、固定ページを確認する必要がなくなるため、承認処理を簡便に行わせることができる。
【００８９】
また、図３のステップＳ１１０において、プルーフジョブの印刷後に取得された読取画像を、サーバー１０を介して端末装置２０に送信する際、サーバー１０からメール（承認依頼メール）を利用して送信させるようにしているが、これに限定されるものではない。例えば、ＳＭＳ等、承認依頼を端末装置２０に送信可能な方法であれば、いかなる方法を利用してもよい。
【００９０】
また、プルーフジョブの印刷後に取得された読取画像を表示部２３に表示させる際、編集後の内容を編集前の内容と重ね合わせて表示させるようにしてもよい。
このように、端末装置２０の制御部２１は、読取画像を表示部に表示させる際、編集後の内容を編集前の内容と重ね合わせて表示させることで、ジョブオーナーが画像を確認する際に、確認箇所をわかりやすく表示させることができるので、見逃しや誤認識を抑制することが可能となり、承認処理を適切に行わせることができる。
【００９１】
また、表示部２３に表示された読取画像を含む画面（Ｗｅｂ画面）内に記載された所定のＵＲＬを開く操作が行われた場合に、読取画像に対する本印刷の承認結果が「承認」である旨を取得するようにしてもよい。
このように、端末装置２０の制御部２１は、表示部２３に表示された読取画像を含む画面内に記載された所定のＵＲＬを開く操作が行われた場合に、読取画像に対する本印刷の承認結果が承認である旨を取得することで、ジョブオーナーが本印刷を承認する場合に所定のＵＲＬをクリックするという簡便な操作で行うことができるので、承認処理を簡便に行わせることができる。
【００９２】
また、ジョブ（プルーフジョブ）の本印刷の承認を要求する箇所（承認箇所）は、１ページに対して１箇所に限られず、１ページに対して複数箇所設定するようにしてもよい。なお、この場合は、全ての承認箇所の承認を要求する仕様とするのがよい。
このように、ジョブの本印刷の承認を要求する箇所は、１ページに対して複数箇所設定可能であることで、一度に複数箇所を確認させることができるので、承認処理を効率的に、かつ、厳密に行わせることができる。
【００９３】
また、ジョブ（プルーフジョブ）の本印刷の承認は、必ずしも１ページずつ承認する必要はなく、複数ページを一括承認可能な構成（例えば、一括承認ボタン等）を設けることで、複数ページを一度に承認できるようにしてもよい。
このように、ジョブの本印刷の承認は、複数ページを一度に承認可能であることで、承認処理を効率的に、かつ、簡便に行わせることができるので、ジョブオーナーの利便性を確保することができる。
【００９４】
また、ジョブ（プルーフジョブ）の本印刷の承認は、承認期限を設けるようにしてもよい。すなわち、承認期限内に承認／非承認が得られなかった場合、プルーフジョブを消滅させるようにしてもよい。
このように、ジョブの本印刷の承認は、承認期限が設けられていることで、ジョブオーナーの事情で承認が行われなかった場合に印刷業者の責任を回避させることができるので、安定的なシステム運用を実施することができる。
【００９５】
また、上記実施形態では、読取画像に対する本印刷の承認結果が承認であった場合に、本印刷を実施させるようにしているが、これに限定されるものではない。例えば、読取画像の承認に加えて、プルーフ印刷が実施された用紙（読取画像が形成された用紙そのもの）に対する承認を要求するようにしてもよい。この場合、まず、読取画像の承認を要求し、読取画像の承認が得られた場合に、プルーフ印刷が実施された用紙の承認を要求する。プルーフ印刷が実施された用紙の承認方法としては、例えば、ジョブオーナーに対してプルーフ印刷が実施された用紙を送付して印刷された読取画像を確認させるようにし、用紙を送付した旨を通知するメールに記載された承認通知用のＵＲＬをクリック操作させる方法等が挙げられる。
このように、印刷装置３０の制御部３１は、端末装置２０の制御部２１により送信された承認結果が承認であって、かつ、プルーフ印刷が実施された用紙に対する承認が得られた場合に、本印刷を実施させることで、実際に画像が印刷された用紙を用いて承認の可否を判断させることができるので、より確実に印刷事故を防止することができる。また、事前にオンラインで承認が得られた場合にのみ、実際に画像が印刷された用紙をジョブオーナーに送付するため、承認が得られる可能性が高い場合にのみ実際に画像が印刷された用紙がジョブオーナーに送付されることとなり、承認処理を効率的に行わせることができる。
【００９６】
また、ジョブ（プルーフジョブ）の本印刷の承認を行うジョブオーナーの承認権限は、他のジョブオーナーに委譲できるようにしてもよい。例えば、表示部２３に表示された読取画像を含む画面（Ｗｅｂ画面）内に、委譲先のジョブオーナーを選択可能な構成（例えば、チェックボックス等）を設けることで、他のジョブオーナーに承認権限を委譲できるようにしてもよい。
このように、ジョブの本印刷の承認を行うジョブオーナーの承認権限は、他のジョブオーナーに委譲可能であることで、承認処理の流れを柔軟に行わせることができるので、システム運用を柔軟に行うことができる。
【００９７】
また、表示部２３に表示させた読取画像の「編集が行われた箇所（ジョブオーナーに確認してもらいたい箇所）」に対し所定の操作（例えば、クリック操作）が行われた場合に、編集が行われた箇所の高解像度の画像を表示させるようにしてもよい。
このように、端末装置２０の制御部２１は、表示部２３に表示させた読取画像の編集が行われた箇所に対し所定の操作が行われた場合に、編集が行われた箇所の高解像度の画像を表示させることで、ジョブオーナーが画像を確認する際に、確認箇所をわかりやすく表示させることができるので、誤認識を抑制することが可能となり、承認処理を適切に行わせることができる。
【００９８】
なお、読取画像に対する本印刷の承認結果が非承認であった場合（ジョブオーナーが承認しなかった場合）、以下のように対応してもよい。例えば、非承認理由をコメント（テキスト）で追加できるようにしてもよい。また、非承認理由を画像で追加できるようにしてもよい。また、印刷責任者（印刷装置３０のオペレーター）の修正で対応可能な場合は、コメントに加え、承認権限を印刷責任者に委譲することで、対応するようにしてもよい。一方、デザイナーの修正が必要な場合は、プルーフジョブを破棄して、もう一度やり直すようにしてもよい。
【００９９】
また、読取画像に対する本印刷の承認結果が未承認であった場合（ジョブオーナーが所定期日までに承認又は非承認処理しなかった場合）、以下のように対応してもよい。例えば、自動的に承認するようにしてもよい。また、期日を自動的に延長するようにしてもよい。また、納品日時から逆算して承認期限を自動計算するようにしてもよい。また、プルーフジョブを破棄して、もう一度やり直すようにしてもよい。また、承認処理を印刷受注時の契約事項としておくことで、承認が行われなかった場合に、印刷会社側の瑕疵が問われないようにしてもよい。
【０１００】
また、上記実施形態では、サーバー１０、端末装置２０及び印刷装置３０で印刷システム１を構成するようにしているが、これに限定されるものではない。例えば、サーバー１０の機能を印刷装置３０に内蔵する（すなわち、印刷装置３０がサーバー１０を兼ねる）ことで、端末装置２０及び印刷装置３０のみで印刷システム１を構成するようにしてもよい。
【０１０１】
その他、印刷システムを構成する各装置の細部構成及び各装置の細部動作に関しても、本発明の趣旨を逸脱することのない範囲で適宜変更可能である。
【符号の説明】
【０１０２】
１  印刷システム
１０  サーバー
１１  制御部
１２  操作部
１３  表示部
１４  記憶部
１５  通信部
２０  端末装置（情報処理装置）
２１  制御部（表示制御部、取得部、第２制御部）
２２  操作部
２３  表示部
２４  記憶部
２５  通信部
３０  印刷装置
ｇ１  プリントコントローラー
ｇ２  本体ユニット
３１  制御部（第１制御部）
３２  操作部
３３  表示部
３４  記憶部
３５  通信部
３６  原稿自動読取部
３７  画像処理部
３８  画像形成部
３９  読取部
ｔ１  給紙トレイ
ｔ２  排紙トレイ
【図１】
2019186614.tif 000003
【図２】
2019186614.tif 000004
【図３】
2019186614.tif 000005
【図４】
2019186614.tif 000006
【図５】
2019186614.tif 000007